(57)【特許請求の範囲】
【請求項１】
熱源機から、複数の設定温度のうちのいずれかの温度の温水が供給される温水循環路と、
浴室内の空気を循環させる循環ファンと、
前記循環ファンによる空気の流通経路に配置された前記温水循環路の途中箇所に設けられて、前記熱源機から前記温水循環路を介して供給される温水と、前記流通経路を流通する空気との間の熱交換により、前記流通経路を流通する空気を加熱する熱交換器と、
浴室内の空気を浴室外に排出する換気ファンと、
浴室内の湿度を検出する湿度センサと、
前記熱源機から前記温水循環路を介して前記熱交換器に温水が供給されている状態で、前記循環ファン及び前記換気ファンを作動させる乾燥運転を実行し、前記乾燥運転の開始後、前記湿度センサの検出湿度が、前記乾燥運転が開始されてからの前記湿度センサの検出湿度のピーク値であるピーク湿度から、所定の乾燥判定量以上低下したときに、前記乾燥運転を終了する制御部と
を備えた浴室乾燥機において、
前記熱源機から前記温水循環路を介して前記熱交換器に供給される温水の温度を認識する温水温度認識部と、
前記温水温度認識部により認識された温水の温度が低いほど、前記乾燥判定量を少なく設定する乾燥判定量設定部と
を備えたことを特徴とする浴室乾燥機。
【請求項２】
請求項１に記載の浴室乾燥機において、
前記乾燥判定量設定部は、前記乾燥運転の実行中に、前記温水温度認識部により認識された温水の温度又は前記湿度センサの検出湿度に基づいて、前記熱源機から前記温水循環路を介して前記熱交換器に供給される温水の温度が切り替わったことを検知したときに、切り替わる前又は切り替わった後の温水の温度と、該温水の温度が切り替わる過程における前記湿度センサの検出湿度の変化幅とに基づいて、前記乾燥判定量を変更することを特徴とする浴室乾燥機。
【発明の詳細な説明】
【技術分野】
【０００１】
本発明は、浴室内の乾燥を行う温水式の浴室乾燥機に関する。
【背景技術】
【０００２】
従来、熱源機から供給される温水を熱源として浴室内を加熱すると共に、浴室内を換気する乾燥運転を実行することによって、浴室内に干された衣類等を乾燥させる温水式の浴室乾燥機が知られている（例えば、特許文献１参照）。
【０００３】
特許文献１に記載された浴室乾燥機においては、浴室内の湿度を検出する湿度センサを備えて、乾燥運転を開始した後に浴室内の湿度の変化を測定し、浴室内の湿度がピーク（ピーク湿度Ｈp）から乾燥判定量ΔＨ以上減少した時に、乾燥運転を終了している。
【０００４】
また、特許文献１に記載された浴室乾燥機においては、乾燥運転を開始した時点の浴室内の湿度（初期湿度Ｈs）と温度（初期室温Ｔs）を測定し、ピーク湿度Ｈpと初期湿度Ｈsとの差及び初期室温Ｔsに応じて、乾燥判定量ΔＨを変更している。
【先行技術文献】
【特許文献】
【０００５】
【特許文献１】特開２００７−５０１５５号公報
【発明の概要】
【発明が解決しようとする課題】
【０００６】
浴室乾燥機において、浴室に干された衣類等が乾いた後も乾燥運転が継続されることは、エネルギーが無駄に消費されるので好ましくない。
【０００７】
本発明はかかる背景に鑑みてなされたものであり、浴室に干された衣類等が乾いた後も乾燥運転が継続されて、無駄なエネルギーが消費されることを抑制した温水式の浴室乾燥機を提供することを目的とする。
【課題を解決するための手段】
【０００８】
本発明の浴室乾燥機は、
熱源機から、複数の設定温度のうちのいずれかの温度の温水が供給される温水循環路と、
浴室内の空気を循環させる循環ファンと、
前記循環ファンによる空気の流通経路に配置された前記温水循環路の途中箇所に設けられて、前記熱源機から前記温水循環路を介して供給される温水と、前記流通経路を流通する空気との間の熱交換により、前記流通経路を流通する空気を加熱する熱交換器と、
浴室内の空気を浴室外に排出する換気ファンと、
浴室内の湿度を検出する湿度センサと、
前記熱源機から前記温水循環路を介して前記熱交換器に温水が供給されている状態で、前記循環ファン及び前記換気ファンを作動させる乾燥運転を実行し、前記乾燥運転の開始後、前記湿度センサの検出湿度が、前記乾燥運転が開始されてからの前記湿度センサの検出湿度のピーク値であるピーク湿度から、所定の乾燥判定量以上低下したときに、前記乾燥運転を終了する制御部と
を備えた浴室乾燥機において、
前記熱源機から前記温水循環路を介して前記熱交換器に供給される温水の温度を認識する温水温度認識部と、
前記温水温度認識部により認識された温水の温度が低いほど、前記乾燥判定量を少なく設定する乾燥判定量設定部と
を備えたことを特徴とする。
【０００９】
かかる本発明によれば、前記制御部は、前記熱源機から前記温水路を介して前記熱交換器に温水が供給されている状態で、前記循環ファン及び前記換気ファンを作動させる乾燥運転を実行し、前記乾燥運転の開始後、前記湿度センサの検出湿度がピーク湿度から前記乾燥判定量以上低下したときに、前記乾燥運転を終了する。そして、前記乾燥判定量設定部は、前記温水温度認識部により認識される温水の温度が低いほど、前記乾燥判定量を少なく設定する。
【００１０】
ここで、前記熱源機から前記熱交換器に供給される温水の温度が高いほど、浴室内が高温になって、浴室内に干された衣類等からの水分の放出が促進されるため、ピーク湿度が高くなり、衣類等が乾燥するまでのピーク湿度からの湿度の低下幅が大きくなる傾向がある。そのため、前記乾燥判定量を固定値に設定すると、前記熱源機から前記熱交換器に供給される温水の温度が想定温度よりも低く、衣類等が乾燥するまでのピーク湿度からの湿度の低下幅が小さくなったときに、衣類等が十分に乾燥しているにも拘わらず、検出湿度が前記乾燥判定量以上低下せずに乾燥運転が継続され、無駄なエネルギーが消費されてしまう。
【００１１】
そこで、前記乾燥判定量設定部により、前記温水温度認識部により認識された温水の温度が低いほど、前記乾燥判定量を少なく設定して乾燥運転を終了することによって、衣類等が乾いた後も乾燥運転が継続されてエネルギーが無駄に消費されることを抑制することができる。
【００１２】
また、前記乾燥判定量設定部は、前記乾燥運転の実行中に、前記温水温度認識部により認識された温水の温度又は前記湿度センサの検出湿度に基づいて、前記熱源機から前記温水循環路を介して前記熱交換器に供給される温水の温度が切り替わったことを検知したときに、切り替わる前又は切り替わった後の温水の温度と、該温水の温度が切り替わる過程における前記湿度センサの検出湿度の変化幅とに基づいて、前記乾燥判定量を変更することを特徴とする。
【００１３】
この構成によれば、詳細は後述するが、前記熱源機から供給される温水の温度が切り替わったときに、切り替わる前又は切り替わった後の温水の温度と、該温水の温度が切り替わる過程における前記湿度センサの検出湿度の変化幅とに基づいて、前記乾燥判定量を変更することによって、前記乾燥運転の終了タイミングを、浴室内に干された衣類等が乾くタイミングに近付けて、衣類等の乾燥不足及び乾燥終了後も乾燥運転が継続することを抑制することができる。
【図面の簡単な説明】
【００１４】
【図１】浴室乾燥機の構成図。
【図２】乾燥運転のフローチャート。
【図３】乾燥運転中の湿度及び乾燥率の変化を示したグラフ。図３Ａは温水の供給温度が８０度である場合を示し、図３Ｂは温水の供給温度が６０度である場合を示す。
【図４】乾燥運転中の湿度及び乾燥率の変化を示したグラフ。図４Ａは乾燥運転の開始から早い段階で温水の供給温度が８０度から６０度に切り替わった場合を示し、図４Ｂ乾燥運転の開始から遅い段階で温水の供給温度が８０度から６０度に切り替わった場合を示している。
【図５】乾燥運転中の湿度及び乾燥率の変化を示したグラフ。図５Ａは乾燥運転の開始から早い段階で温水の供給温度が６０度から８０度に切り替わった場合を示し、図５Ｂは乾燥運転の開始から遅い段階で温水の供給温度が６０度から８０度に切り替わった場合を示している。
【発明を実施するための形態】
【００１５】
本発明の実施形態について、図１〜図５を参照して説明する。図１を参照して、本実施形態の浴室乾燥機Ａは壁掛け式であり、ハウジング１内に、浴室ＢＲ内の空気を空気吸込み口（図示しない）から吸入して空気吹出し口２１に送出することにより浴室ＢＲ内の空気を循環させる循環ファン２２と、空気吹出し口２１に設けられて、送風方向を可変する可動ルーバー２３と、循環ファン２２による空気の流通経路に設けられて、流通する空気を加熱する熱交換器３２とを備えている。
【００１６】
熱交換器３２は温水循環路３３の途中箇所に設けられ、温水循環路３３を介して熱源機３１から熱交換器３２に温水が供給される。熱源機３１は、例えば、ガスバーナの燃焼排ガスにより温水循環路３３を流通する温水を加熱する構成と、ヒートポンプの熱媒により温水循環路３３を流通する温水を加熱する構成とを備えたハイブリットタイプの熱源機であり、本実施形態の熱源機３１は、６０℃又は８０℃（本発明の複数の設定温度に相当する）の温水を温水循環路３３を介して熱交換器３２に供給する。なお、６０℃又は８０℃以外の温度の温水を供給する熱源機、或は３種類以上の温度の温水を供給する熱源機３１を用いてもよい。
【００１７】
温水循環路３３には、温水循環路３３を開閉する熱動弁３４と、熱源機３１から温水循環路３３を介して熱交換器３２に供給される温水の温度を検出する湯温センサ８（本発明の温水温度認識部に相当する）とが備えられている。
【００１８】
また、浴室乾燥機Ａは、浴室ＢＲの壁ＢＲａの外面に設置された換気ボックス４１内に配置された換気ファン４２と、浴室ＢＲ内の温度を検出する室温センサ６と、浴室ＢＲ内の湿度を検出する湿度センサ７とを備えている。換気ファン４２の作動により、浴室ＢＲ内の空気が浴室外（屋外）に排出される。
【００１９】
さらに、浴室乾燥機Ａは、浴室乾燥機Ａの全体的な作動を制御するコントローラ５（本発明の制御部に相当する）を備えている。コントローラ５は、図示しないＣＰＵ、メモリ、各種インターフェース回路等により構成された電子回路ユニットであり、メモリに保持された浴室乾燥機Ａの制御用プログラムをＣＰＵで実行することによって、浴室乾燥機Ａの作動を制御する機能を果たす。コントローラ５は、本発明の乾燥判定量設定部の機能を含む。
【００２０】
コントローラ５には、浴室乾燥機Ａを遠隔操作するためのリモコン５０が接続されており、コントローラ５は、使用者によるリモコン５０の操作に応じて、浴室乾燥機Ａの作動を制御する。また、コントローラ５は、熱源機３１と通信可能に構成され、熱源機３１に対して温水の供給開始と停止を指示する制御信号等を送信する。
【００２１】
コントローラ５には、室温センサ６の温度検出信号、湿度センサ７の湿度検出信号、湯温センサ８の温度検出信号、及びリモコン５０の操作信号が入力される。また、コントローラ５から出力される制御信号によって、循環ファン２２のモータ２２ａ、可動ルーバー２３のモータ２３ａ、熱動弁３４、換気ファン４２のモータ４２ａ、及び熱源機３１からの温水供給の開始と停止が制御される。
【００２２】
コントローラ５は、リモコン５０からの操作信号に応じて、熱動弁３４を開弁して熱源機３１から温水循環路３３を介して熱交換器３２に温水が供給される状態（以下、温水供給状態という）とし、循環ファン２２及び換気ファン４２を共に作動させる乾燥運転と、温水供給状態として循環ファン２２を作動（換気ファン４２は停止）させる浴室暖房運転と、熱動弁３４を閉弁して熱交換器３２への温水の供給を停止した状態で、循環ファン２２と換気ファン４２を共に作動させる涼風運転とを選択的に実行する。
【００２３】
以下、図２に示したフローチャートに従って、コントローラ５による乾燥運転の実行手順について説明する。
【００２４】
コントローラ５は、リモコン５０から乾燥運転の開始を指示する操作信号を受信したときに、図２に示したフローチャートによる処理を実行する。
【００２５】
コントローラ５は、ＳＴＥＰ１で換気ファン４２をＯＮ（作動）させ、ＳＴＥＰ２で熱動弁３４を開弁すると共に熱源機３１に対して温水供給の開始を指示する信号を送信して、温水供給状態とする。
【００２６】
続くＳＴＥＰ３で、コントローラ５は、循環ファン２２をＯＮする。次のＳＴＥＰ４で、コントローラ５は、湯温センサ８の検出温度（熱源機３１から供給される温水の温度）が安定するのを待って、湯温センサ８の検出温度Ｔwが６０℃（６０−α℃≦Ｔw≦６０℃＋α、αは許容幅の設定値）であるか否かを判断する。
【００２７】
そして、湯温センサ８の検出温度Ｔwが６０℃であるときはＳＴＥＰ６に進み、コントローラ５は、乾燥運転の終了判定値ΔＨを６０℃用のΔＨ1に設定してＳＴＥＰ７に進む。一方、湯温センサ８の検出温度Ｔwが６０℃ではないとき（Ｔwが約８０℃であるとき）には、ＳＴＥＰ２０に分岐し、コントローラ５は、乾燥運転の終了判定値ΔＨを８０℃用のΔＨ2（＞ΔＨ1）に設定してＳＴＥＰ７に進む。
【００２８】
ここで、図３Ａは、熱源機３１から温水循環路３３を介して熱交換器３２に供給される温水の温度が８０℃である場合に、乾燥運転を実行したときの浴室ＢＲ内の湿度ａ1（湿度センサ７により検出される）、浴室ＢＲ内に干された衣類の乾燥率ｂ1（図示しない重量センサによる検出重量の変化等により検知される）、及び湿度ａ1のピーク値（ピーク湿度）Ｈp1からの湿度の低下幅ｃ1（＝Ｈp1−ａ1）を、横軸を乾燥運転の開始時点からの経過時間（分）に設定し、縦軸を乾燥率（％）及び絶対湿度（ｇ／ｍ3）に設定して例示したものである。
【００２９】
図３Ａの例では、乾燥判定量ΔＨをΔＨ2（約１２ｇ／ｍ3）に設定することで、衣類の乾燥率が１００％を超えた時点から約５分後のｔf1で、乾燥運転を終了することができる。
【００３０】
それに対して、図３Ｂは、熱源機３１から温水循環路３３を介して熱交換器３２に供給される温水の温度が６０℃である場合に、乾燥運転を実行したときの浴室ＢＲ内の湿度ａ2、浴室ＢＲに干された衣類の乾燥率ｂ2、及び湿度ａ2のピークＨp2からの湿度の低下幅ｃ2（＝Ｈp2−ａ2）を、図３Ａと同様に、横軸を乾燥運転の開始時点からの経過時間に設定し、縦軸を乾燥率及び絶対湿度に設定して例示したものである。
【００３１】
図３Ｂの例では、湿度のピークＨp2が、図３ＡにおけるＨp1よりも低くなっている。そして、乾燥率ｂ2が１００％に達した時の湿度の低下幅ｃ2は、６．５ｇ／ｍ3程度となっている。そのため、乾燥判定量ΔＨを温水温度が８０℃であるときと同じΔＨ2（１２ｇ／ｍ3）に設定すると、乾燥率ｂ2が１００％を超えても湿度の低下幅ｃ2が乾燥判定量ΔＨになかなか達せずに乾燥運転が継続し、無駄なエネルギーが消費されてしまう。
【００３２】
そこで、コントローラ５は、ＳＴＥＰ４で湯温センサ８の検出温度Ｔwが６０℃であるときには、ＳＴＥＰ６で、乾燥判定量ΔＨをΔＨ2よりも少ないΔＨ1（約７ｇ／ｍ3）に設定する。
【００３３】
乾燥判定量ΔＨをΔＨ1に設定することによって、図３Ｂに示したように、乾燥率ｂ2が１００％を超えた直後のｔf2で湿度の低下幅ｃ2がΔＨ1以上になるため、乾燥運転を速やかに終了させることができる。
【００３４】
このように、湯温センサ８の検出温度Ｔwが低いほど、乾燥判定量ΔＨを小さく設定することによって、乾燥率が１００％を超えた後も乾燥運転が継続されて、無駄なエネルギーが消費されることを抑制することができる。なお、ΔＨ1、ΔＨ2は、実験等により予め設定され、ΔＨ1，ΔＨ2のデータがメモリに保持されている。
【００３５】
続くＳＴＥＰ７とＳＴＥＰ３０から成るループにより、コントローラ５は、ＳＴＥＰ７で湿度センサ７の検出湿度Ｈsがピーク（極大）に達するか、又はＳＴＥＰ３０で温水温度が変更（６０℃→８０℃、又は８０℃→６０℃）されるのを待つ。
【００３６】
そして、ＳＴＥＰ７で湿度センサ７の検出湿度Ｈsがピークに達したときは、ＳＴＥＰ８に進み、コントローラ５は、続くＳＴＥＰ８とＳＴＥＰ４０から成るループを実行する。また、ＳＴＥＰ３０で温水温度が変更されたことを検知したときにはＳＴＥＰ３１に進み、コントローラ５は、乾燥判定量ΔＨの変更処理を行ってＳＴＥＰ７に進む。乾燥判定量ΔＨの変更処理については後述する。
【００３７】
続くＳＴＥＰ８とＳＴＥＰ４０から成るループにより、コントローラ５は、ＳＴＥＰ８で、ピーク値Ｈpからの湿度Ｈsの低下幅（Ｈp−Ｈs）が乾燥判定量ΔＨ以上になったか否かを判断すると共に、ＳＴＥＰ４０で温水温度が変更（６０℃→８０℃、又は８０℃→６０℃）されたか否かを判断する。
【００３８】
そして、ＳＴＥＰ４０で温水温度が変更されたときはＳＴＥＰ４１に進み、コントローラ５は、乾燥判定量ΔＨの変更処理を行ってＳＴＥＰ８に進む。また、ＳＴＥＰ８で、ピーク値Ｈpからの湿度の低下幅（Ｈp−Ｈs）が乾燥判定量ΔＨ以上になった時（乾燥運転の終了条件が成立した時）にはＳＴＥＰ９に進み、コントローラ５は、換気ファン４２をＯＦＦ（停止）する。
【００３９】
続くＳＴＥＰ１０で、コントローラ５は、熱動弁３４を閉弁して熱源機３１に運転停止を指示する信号を送信して、熱源機３１からの温水の供給を停止する。また、次のＳＴＥＰ１１で、コントローラ５は、循環ファン２２をＯＦＦ（停止）して、乾燥運転を終了する。
【００４０】
次に、図４〜図５を参照して、上述したＳＴＥＰ３１及びＳＴＥＰ４１で実行される乾燥判定量ΔＨの変更処理について説明する。
【００４１】
図４Ａは、乾燥運転が開始されて湿度がピークに達した直後に、温水温度が８０℃から６０℃に切り替わった場合の浴室ＢＲ内の湿度ａ3、浴室ＢＲ内に干された衣類の乾燥率ｂ3、及びピーク値Ｈp3からの湿度の低下幅ｃ3（＝Ｈp3−ａ3）を、横軸を乾燥運転の開始時点からの経過時間に設定し、縦軸を乾燥率及び絶対湿度に設定して例示したものである。
【００４２】
図４Ａにおいて、ΔＨ2は温水温度８０℃用の乾燥判定量であり、ΔＨ1は温水温度６０℃用の乾燥判定量である（後述する図４Ｂ、図５Ａ、図５Ｂにおいても同様）。ΔＨ1，ΔＨ2は、実験等により予め設定され、ΔＨ1，ΔＨ2のデータがメモリに保持されている。
【００４３】
コントローラ５は、乾燥運転が開始されてから湿度ａ3の変化を監視し、湿度ａ3の傾きの変化から、温水温度が８０℃から６０℃に切り替わる過程における湿度ａ3の低下幅ΔＨc1を求める。そして、コントローラ５は、乾燥判定量ΔＨを、それまで設定されていた温水温度８０℃用のΔＨ2から、切り替わった後の温水温度である６０℃用のΔＨ1に、低下幅ΔＨc1を加えた値ΔＨa1（＝ΔＨ1＋ΔＨc1）に変更する。
【００４４】
このようにして、温水温度が８０℃から６０℃に切り替わった後の乾燥判定量ΔＨをΔＨa1とすることによって、乾燥率が１００％を超えた直後のｔf3に乾燥運転を終了させることができる。そのため、乾燥率が１００％を超えた後も乾燥運転が継続して無駄なエネルギーが消費されることを抑制することができる。
【００４５】
次に、図４Ｂは、乾燥運転が開始されて湿度がピークに達してからある程度時間が経過した時点（乾燥運転の開始から約１時間が経過した時点）に、温水温度が８０℃から６０℃に切り替わった場合の浴室ＢＲ内の湿度ａ4、浴室ＢＲ内に干された衣類の乾燥率ｂ4、及びピーク値Ｈp4からの湿度の低下幅ｃ4（＝Ｈp4−ａ4）を、横軸を乾燥運転の開始時点からの経過時間に設定し、縦軸を乾燥率及び絶対湿度に設定して示したものである。
【００４６】
コントローラ５は、乾燥運転が開始されてから湿度ａ4の変化を監視し、湿度ａ4の傾きの変化から、温水温度が８０℃から６０℃に切り替わる過程における湿度ａ4の低下幅ΔＨc2を求める。そして、コントローラ５は、乾燥判定量ΔＨを、それまでの温水温度８０℃用のΔＨ2から、切り替わった後の温水温度である６０℃用のΔＨ1に、低下幅ΔＨc2を加えた値ΔＨa2（＝ΔＨ1＋ΔＨc2）に変更する。
【００４７】
このようにして、温水温度が８０℃から６０℃に切り替わった後の乾燥判定量ΔＨをΔＨa2とすることによって、乾燥率が１００％を超えた直後のｔf4に乾燥運転を終了させることができる。そのため、乾燥率が１００％を超えた後も乾燥運転が継続して、無駄なエネルギーが消費されることを抑制することができる。
【００４８】
次に、図５Ａは、乾燥運転が開始されて湿度がピークに達する直前に、温水温度が６０℃から８０℃に切り替わった場合の浴室ＢＲ内の湿度ａ5、浴室ＢＲ内に干された衣類の乾燥率ｂ5、及びピーク値Ｈp5からの湿度の低下幅ｃ5（＝Ｈp5−ａ5）を、横軸を乾燥運転の開始時点からの経過時間に設定し、縦軸を乾燥率及び絶対湿度に設定して示したものである。
【００４９】
コントローラ５は、乾燥運転が開始されてから湿度ａ5の変化を監視し、湿度ａ5の傾きの変化から、温水温度が６０℃から８０℃に切り替わる過程における湿度ａ5の上昇幅ΔＨc3を求める。そして、コントローラ５は、乾燥判定量ΔＨを、それまでの温水温度６０℃用のΔＨ1から、切り替わった後の温水温度である８０℃用のΔＨ2から上昇幅ΔＨc3を減じた値ΔＨa3（＝ΔＨ2−ΔＨc3）に変更する。
【００５０】
このようにして、温水温度が６０℃から８０℃に切り替わった後の乾燥判定量ΔＨをΔＨa3とすることによって、乾燥率が１００％を超えた直後のｔf5に乾燥運転を終了させることができる。そのため、乾燥率が１００％を超えた後も乾燥運転が継続して、無駄なエネルギーが消費されることを抑制することができる。
【００５１】
次に、図５Ｂは、乾燥運転が開始されて湿度がピークに達してからある程度時間が経過した時点（乾燥運転の開始から約１時間が経過した時点）に、温水温度が６０℃から８０℃に切り替わった場合の浴室ＢＲ内の湿度ａ6、浴室ＢＲ内に干された衣類の乾燥率ｂ6、及びピーク値Ｈp6からの湿度の低下幅ｃ6（＝Ｈp6−ａ6）を、横軸を乾燥運転の開始時点からの経過時間に設定し、縦軸を乾燥率及び絶対湿度に設定して示したものである。
【００５２】
コントローラ５は、乾燥運転が開始されてから湿度ａ6の変化を監視し、湿度ａ6の傾きの変化から、温水温度が６０℃から８０℃に切り替わる過程における湿度ａ6の上昇幅ΔＨc4を求める。そして、コントローラ５は、乾燥判定量ΔＨを、それまでの温水温度６０℃用のΔＨ1から、切り替わる前の温水温度である６０℃用のΔＨ1から上昇幅ΔＨc4を減じた値ΔＨa4（＝ΔＨ1−ΔＨc4）に変更する。
【００５３】
このようにして、温水温度が６０℃から８０℃に切り替わった後の乾燥判定量ΔＨをΔＨa4とすることによって、乾燥率が１００を超えた直後のｔf6に乾燥運転を終了させることができる。そのため、乾燥率が１００％を超えた後も乾燥運転が継続して、無駄なエネルギーが消費さえることを抑制することができる。
【００５４】
なお、本実施形態において、コントローラ５は、湯温センサ８の検出温度Ｔwによって、熱源機３１から温水循環路３３を介して熱交換器３２に供給される温水の温度を認識したが、熱源機３１との通信によって熱交換器３２に供給される温水の温度を認識するようにしてもよい。この場合、熱源機３１との通信によって熱交換器３２に供給される温水の温度を認識する構成が、本発明の温水温度認識部に相当する。
【００５５】
また、本実施形態において、コントローラ５は、乾燥運転の実行中に、湿度センサ７により検出した浴室ＢＲ内の湿度の変化の傾きによって、熱源機３１から温水循環路３３を介して熱交換器３２に供給される温水の温度が切り替わる過程を認識したが、湯温センサ８により検出される温水の温度の変化から、熱源機３１から温水循環路３３を介して熱交換器３２に供給される温水の温度が切り替わる過程を認識してもよい。
【符号の説明】
【００５６】
Ａ…浴室乾燥機、１…ハウジング、５…コントローラ（制御部）、７…湿度センサ、８…湯温センサ（温水温度認識部）、３１…熱源機、３２…熱交換器、３３…温水循環路、３４…熱動弁、４２…換気ファン、５０…リモコン。
【図１】
0006399966.tif 000002
【図２】
0006399966.tif 000003
【図３】
0006399966.tif 000004
【図４】
0006399966.tif 000005
【図５】
0006399966.tif 000006